(57)【特許請求の範囲】
【請求項１】
餌を模した外観形状を成すルアー本体と、該ルアー本体に回動可能に設けられ、ルアー本体の泳動中に水から抵抗を受けるための水流抵抗体とを有する魚釣り用ルアーであって、
前記水流抵抗体を前記ルアー本体に対して回動可能な回動可能状態と前記ルアー本体に対する回動が阻止される回動不能状態とに切り換えるための切り換え手段を備え、
前記切り換え手段は、ルアーのキャスト時に前記水流抵抗体を前記回動可能状態とし、水中で前記水流抵抗体を前記回動不能状態にすることを特徴とする魚釣り用ルアー。
【請求項２】
前記切り換え手段は、前記ルアー本体内にその長手方向に沿って移動可能に設けられる移動体と、前記水流抵抗体に固定される固定体とを有し、前記移動体および前記固定体のうちの一方が永久磁石であり、他方が磁性体であり、前記移動体の移動に伴う固定体と移動体との間の磁気吸着により前記回動可能状態と前記回動不能状態とが切り換えられることを特徴とする請求項１に記載の魚釣り用ルアー。
【請求項３】
水中で前記固定体へと向かう前記移動体の移動を促すための誘導手段を更に備えることを特徴とする請求項２に記載の魚釣り用ルアー。
【請求項４】
前記移動体と前記固定体とが前記ルアー本体に設けられる吸着補助体を介して磁気吸着されることを特徴とする請求項２または請求項３に記載の魚釣り用ルアー。
【請求項５】
前記移動体を前記固定体と磁気吸着する位置に保持するための保持手段を更に備えることを特徴とする請求項２ないし請求項４のいずれか１項に記載の魚釣り用ルアー。
【発明の詳細な説明】
【技術分野】
【０００１】
本発明は、魚釣りで用いられる魚釣り用ルアーに関する。
【背景技術】
【０００２】
従来から、魚釣りで用いられるルアーは、魚等の餌に似せた形状に形成されており、また、釣り人は、ルアーを操作して餌に似せて動かすことにより魚を誘っている。例えば小魚に似せた一般的なルアーは、水中で腹部が下方、背部が上方となるような姿勢を取るべく形成され、この姿勢のまま泳動するようにルアーの前端側下方（腹部の前方側）に水流抵抗体（通称：リップ）が設けられている。
【０００３】
ところで、このようなルアーは、従来から、前記リップがルアー本体に対して固定されているタイプ（例えば、特許文献１参照）のものと、前記リップがルアー本体に対して回動できるタイプ（例えば、特許文献２参照）のものとがある。
【先行技術文献】
【特許文献】
【０００４】
【特許文献１】特開２００８−１１３６２８号公報
【特許文献２】実用新案登録第３１６５３９１号
【発明の概要】
【発明が解決しようとする課題】
【０００５】
リップがルアー本体に対して固定されているタイプのものでは、実釣時にルアーをキャストする（釣糸に結ばれたルアーを空中に投げる）と、ルアー本体から突出した状態のままのリップが空気抵抗を大きく受けて、飛行中のルアーの姿勢が不安定となる。そのため、キャストの方向性が定まらないばかりか、飛距離も伸びず、釣り人の狙ったポイントにルアーをうまく到達させることが難しくなる。
【０００６】
一方、リップがルアー本体に対して回動できるタイプのものでは、ルアーをキャストすると、リップが空気抵抗を受けて回動し、その後は、リップが空気抵抗を受け難い（抑制する）状態のままルアーが飛行するため、飛行中のルアーの姿勢が比較的安定し、釣り人の狙ったポイントにルアーを比較的容易に到達させることができるようになる。しかしながら、ルアーが着水した後も、リップがある程度自由に回動できるため、ルアーを所望の状態で安定して泳動させることが難しい場合がある。
【０００７】
本発明は、前記事情に着目してなされたものであり、その目的とするところは、キャスト時に空気抵抗を抑制して安定した飛行姿勢をとることができるように且つ着水後には所望の状態で安定して泳動できるように水流抵抗体を備える魚釣り用ルアーを提供することにある。
【課題を解決するための手段】
【０００８】
前記課題を解決するために、本発明は、餌を模した外観形状を成すルアー本体と、該ルアー本体に回動可能に設けられ、ルアー本体の泳動中に水から抵抗を受けるための水流抵抗体とを有する魚釣り用ルアーであって、前記水流抵抗体を前記ルアー本体に対して回動可能な回動可能状態と前記ルアー本体に対する回動が阻止される回動不能状態とに切り換えるための切り換え手段を備え、前記切り換え手段は、ルアーのキャスト時に前記水流抵抗体を前記回動可能状態とし、水中で前記水流抵抗体を前記回動不能状態にすることを特徴とする。
【０００９】
上記構成によれば、水流抵抗体がルアー本体に対して回動できるため、ルアーをキャストすると、水流抵抗体が空気抵抗を受けて回動し、その後は、水流抵抗体が空気抵抗を受け難い（抑制する）状態のままルアーが飛行する。そのため、飛行中のルアーの姿勢が比較的安定し、釣り人の狙ったポイントにルアーを比較的容易に到達させることができるようになる。また、上記構成によれば、水流抵抗体をルアー本体に対して回動可能な回動可能状態とルアー本体に対する回動が阻止される回動不能状態とに切り換えるための切り換え手段が設けられているため、この切り換え手段によってルアーのキャスト時に水流抵抗体を回動可能状態にし且つ水中で水流抵抗体を回動不能状態にすることにより、ルアーキャスト時には前述したように空気抵抗を抑制して安定した飛行姿勢をとることができるとともに、着水後には水流抵抗体をルアー本体に対して回動不能に固定してルアーを所望の状態で安定して泳動させることができる。
【００１０】
なお、上記構成によれば、切り換え手段は、ルアー本体内にその長手方向に沿って移動可能に設けられる移動体と、水流抵抗体に固定される固定体とを有し、前記移動体および前記固定体のうちの一方が永久磁石であり、他方が磁性体であり、前記移動体の移動に伴う固定体と移動体との間の磁気吸着により前記回動可能状態と前記回動不能状態とが切り換えられることが好ましい。また、この場合、ルアーは、水中で前記固定体へと向かう前記移動体の移動を促すための誘導手段を更に備えることが好ましい。また、移動体および固定体は、直接に磁気吸着されてもよいが、ルアー本体に設けられる吸着補助体を介して磁気吸着されてもよい。また、ルアーは、移動体を固定体と磁気吸着する位置に保持するための保持手段を更に備えることが好ましい。
【発明の効果】
【００１１】
本発明によれば、キャスト時に空気抵抗を抑制して安定した飛行姿勢をとることができるように且つ着水後には所望の状態で安定して泳動できるように水流抵抗体を備える魚釣り用ルアーを提供できる。
【図面の簡単な説明】
【００１２】
【図１】本発明の第１の実施形態に係る魚釣り用ルアーの側面図であり、ルアーをキャストした際に水流抵抗体が回動可能状態に設定された状態を示す図である。
【図２】（ａ）は図１のルアーが着水した瞬間の概略図であり、水流抵抗体が依然として回動可能状態に設定されている状態を示す図、（ｂ）は水中で図１のルアーに結合される釣糸を引っ張って水流抵抗体を回動不能状態に設定した状態を示す図である。
【図３】（ａ）は図２の（ｂ）の拡大図、（ｂ）は移動体を固定体と磁気吸着する位置に保持するための保持手段の構成例を示す断面図である。
【図４】（ａ）は水中で固定体へと向かう移動体の移動を促すための誘導手段の第１の構成例を示す側面図、（ｂ）は誘導手段の第２の構成例を示す側面図である。
【図５】（ａ）は移動体と固定体とがルアー本体に設けられる吸着補助体を介して磁気吸着される第１の変形例を示す側面図、（ｂ）は吸着補助体の拡大斜視図である。
【図６】（ａ）は移動体と固定体とがルアー本体に設けられる吸着補助体を介して磁気吸着される第２の変形例を示す側面図、（ｂ）は（ａ）の要部拡大斜視図である。
【図７】移動体と固定体とがルアー本体に設けられる吸着補助体を介して磁気吸着される第３の変形例を示す側面図であり、水中でルアーに結合される釣糸を引っ張って水流抵抗体を回動不能状態に設定した状態を示す図である。
【図８】移動体と固定体とがルアー本体に設けられる吸着補助体を介して磁気吸着される第３の変形例を示す側面図であり、ルアーをキャストした際に水流抵抗体が回動可能状態に設定された状態を示す図である。
【発明を実施するための形態】
【００１３】
以下、添付図面を参照して、本発明に係る魚釣り用ルアーの実施形態について説明する。
図１〜図３は本発明の第１の実施形態を示している。図１に示されるように、本実施形態の魚釣り用ルアー１は、魚を模した外観形状を成すルアー本体２と、ルアー本体２に回動可能に設けられ、ルアー本体２の泳動中に水から抵抗を受けるための水流抵抗体（通称：リップ）４とを有する。ルアー本体２は、魚の頭部に対応する前部２ａに釣糸５０を結合させるためのラインアイ１０を有し、また、魚の尾部に対応する後部２ｂに釣針１１を着脱できる針係合部１２を有する。また、水流抵抗体４は、魚の腹部に対応するルアー本体２の下部２ｃの前側に回動支軸１５を中心に回動可能に取り付けられている。
【００１４】
なお、ルアー本体２は、水に対し浮力を有するように木材や合成樹脂により形成されており、水中に入れられると前部２ａ（頭部側）が下側（水底側）を向き且つ後部２ｂ（尾部側）が上側（水面側）を向いて水に浮くように形成されることが好ましい。
【００１５】
また、本実施形態の魚釣り用ルアー１は、水流抵抗体４をルアー本体２に対して回動可能な回動可能状態とルアー本体２に対する回動が阻止される回動不能状態とに切り換えるための切り換え手段を備えている。この切り換え手段は、ルアー１のキャスト時に水流抵抗体４を前記回動可能状態とし、水中で水流抵抗体４を前記回動不能状態にするようになっており、具体的には、ルアー本体２内にその長手方向に沿って移動可能に設けられる永久磁石から成る球状の移動体２０と、水流抵抗体４に固定される磁性体から成る板状の固定体２２とを有し、移動体２０の移動に伴う固定体２２と移動体２０との間の磁気吸着により前記回動可能状態と前記回動不能状態とを切り換えるようになっている。なお、本実施形態では、移動体２０が永久磁石であり、固定体２２が磁性体であるが、逆の構成であっても構わない。すなわち、移動体２０が磁性体で、固定体２２が永久磁石であってもよい。永久磁石としては、アルニコ磁石、フェライト磁石、ネオジウム磁石などが挙げられる。また、磁性体としては、鉄、コバルト、ニッケルなどが挙げられる。
【００１６】
より具体的には、移動体２０は、球状錘として形成されており、ルアー本体２内にその長手方向に沿って延在して設けられる移動空間部３０内に移動可能に収容されている。移動空間部３０はルアー本体２の後部２ｂ近傍から前部２ａ近傍へと延びており、移動空間部３０の前端は、ここに位置される移動体２０が水流抵抗体４の固定体２２と対向できるように水流抵抗体４の回動支軸１５の近傍に位置されている。なお、水流抵抗体４は、回動支軸１５を境に「く」の字に折れ曲がる板状体として形成されており、回動支軸１５の前側部位が水流抵抗体本体４ａを形成し、回動支軸１５の後側部位が固定体２２を保持する着脱固定部４ｂとして形成される。
【００１７】
次に、上記構成の魚釣り用ルアー１の作用について説明する。
図１は、ルアーをキャストしている状態を示している。このキャスト時には、ルアー１がその後部２ｂを前方（図中の矢印の方向）にして空中で飛ばされ、前部２ａのラインアイ１０に結合される釣糸５０が図示しないリールから繰り出される。また、このようにキャストすることにより、移動体２０は、ルアー本体２の前部２ａ側から後部２ｂ側へと移動空間部３０に沿って移動する（矢印参照）。そのため、キャスト開始時に移動体２０と固定体２２とが磁気吸着して水流抵抗体４がルアー本体２に対して回動不能状態に設定されていた場合（図３の（ａ）の実線の状態）には、その回動不能状態が解除される。すなわち、移動体２０がルアー本体２の前部２ａ側から後部２ｂ側へと移動空間部３０に沿って移動することにより、固定体２２は移動体２０との磁気吸着力を失い、水流抵抗体４が回動支軸１５を中心に自由に回動できるようになる。したがって、ルアー１がその後部２ｂを前方にして空中で飛ばされる図１に示されるキャスト中においては、水流抵抗体４が空気抵抗を受けてルアー本体２の前部２ａ側へと回動してルアー本体２の下部（腹部）２ｃと略平行な状態となり、その後は、水流抵抗体４が空気抵抗を受け難い（抑制する）状態のままルアー１が飛行する。そのため、飛行中のルアー１の姿勢が比較的安定し（キャストの方向性が安定し）、釣り人の狙ったポイントにルアーを比較的容易に到達させることができるようになる。なお、キャスト中に移動体２０がルアー本体２の前部２ａ側から後部２ｂ側へと移動することもルアー１の飛行姿勢の安定化に寄与する。すなわち、キャストした際に移動体２０がルアー本体２の前部２ａ側から後部２ｂ側へと移動すると、ルアー１の重心が後部２ｂ側に移動するため、より安定した飛行姿勢をとることができるようになる。
【００１８】
図２の（ａ）は、キャスティングによってルアー１が所定のポイントで着水した状態を示している。この着水の瞬間においては、ルアー１の後部２ｂが水底を向いた状態にあり、水流抵抗体４が依然として回動可能状態に設定されたままの状態にある。その後、図２の（ｂ）に示されるようにラインアイ１に結合される釣糸５０をルアー１の前方（矢印ａの方向）へ引っ張ると、水流抵抗体４（水流抵抗体本体４ａ）が水流（矢印ｂ参照）を受けて回動し（矢印ｄ参照）、それにより、ルアー本体２は、その前部２ａ（頭部側）が下側（水底側）を向き且つ後部２ｂ（尾部側）が上側（水面８０側）を向く姿勢をとるようになる（矢印ｃ参照）。したがって、移動体２０がルアー本体２の後部２ｂ側から前部２ａ側へと移動空間部３０に沿って移動し、移動体２０が移動空間部３０の前端に位置された時点で、水流を受けて既にルアー本体２の下部２ｃの外面に当接している水流抵抗体４の着脱固定部４ｂの固定体２２がこれに対向する移動体２０に磁気吸着される。その結果、着脱固定部４ｂがルアー本体２の下部２ｃに固定され、水流抵抗体４のルアー本体２に対する回動が阻止される（水流抵抗体４が回動不能状態に設定される）。その状態が図３の（ａ）に拡大して示されている（実線が回動不能状態、二点鎖線が回動可能状態）。なお、この場合、図３の（ｂ）に示されるように移動空間部３０の前端に段差（保持手段）３０ａを形成し、この段差３０ａによって移動体２０を固定体２２と磁気吸着する位置に保持するようにしてもよい。これにより、水流抵抗体４の回動不能状態を安定的に保持することが可能になる。このような保持手段は、段差３０ａに限らず、突起などであっても構わない。要は、移動体２０を移動空間部３０の前端位置に保持できればどのような形態であってもよい。
【００１９】
以上説明したように、本実施形態の魚釣り用ルアー１は、水流抵抗体４がルアー本体２に対して回動できるため、ルアー１をキャストすると、水流抵抗体４が空気抵抗を受けて回動し、その後は、水流抵抗体４が空気抵抗を受け難い（抑制する）状態のままルアー１が飛行する。そのため、飛行中のルアー１の姿勢が比較的安定し、釣り人の狙ったポイントにルアー１を比較的容易に到達させることができるようになる。また、本実施形態によれば、水流抵抗体４をルアー本体２に対して回動可能な回動可能状態とルアー本体２に対する回動が阻止される回動不能状態とに切り換えるための切り換え手段２０，２２，３０が設けられているため、この切り換え手段によってルアー１のキャスト時に水流抵抗体４を回動可能状態にし且つ水中で水流抵抗体４を回動不能状態にすることにより、ルアーキャスト時には前述したように空気抵抗を抑制して安定した飛行姿勢をとることができるとともに、着水後には水流抵抗体４をルアー本体２に対して回動不能に固定してルアー１を所望の状態で安定して泳動させることができる。
【００２０】
ところで、前述した実施形態では、水中で釣糸５０を引っ張ることにより、水流抵抗体４（水流抵抗体本体４ａ）が水流を受けて回動し、それにより、ルアー本体２の前部２ａが下側を向き且つ後部２ｂが上側を向く姿勢をとるようになっているが、着水時点（図２の（ａ）の状態）で既にそのような姿勢をとることができるように、すなわち、着水時点で釣糸５０を引かずとも自動的に水流抵抗体４が回動不能状態に切り換わるようにすることも考えられる。これは、水中で移動空間部３０内を固定体２２側へと向かう移動体２０の移動を促すことにより達成できる。そのような誘導手段の第１の構成例が図４の（ａ）に示されている。この第１の構成例（図４の（ａ））では、ルアー本体２の前部２ａに誘導手段としての錘６０が設けられている。そのため、ルアー１が着水した時点で、ルアー本体２の前部２ａが水中で下側を向き且つ後部２ｂが上側を向く姿勢をとるようになる。したがって、ルアー１が着水した時点で固定体２２へと向かう移動体２０の移動が促され、結果として、釣糸５０を引かずとも自動的に水流抵抗体４が回動不能状態に切り換わるようになる。なお、錘６０は、水流抵抗体４の回動支軸１５よりも前方側に配設されるのが好ましい。
【００２１】
水中で固定体２２へと向かう移動体２０の移動を促すための誘導手段の第２の構成例が図４の（ｂ）に示されている。図示のように、この例では、ルアー本体２の前部２ａに誘導手段としての錘６０が設けられていることに加え、ルアー本体２の後部２ｂに誘導手段としての空隙部６２が設けられている。このような構成では、空隙部６２の存在により、水中でルアー本体２の後部２ｂが浮力により浮き上がるため、錘６０の作用と相まって、ルアー本体２の前部２ａが水中で下側を向き且つ後部２ｂが上側を向く姿勢を即座にとることが可能になる。このような構成は、特に下向きルアーのタイプにおいて有益である。
【００２２】
また、前述した実施形態では、移動体２０と固定体２２とが直接に磁気吸着するようになっているが、移動体２０および固定体２２は互いに間接的に磁気吸着されても構わない。そのような変形例が図５に示されている。図示のように、この変形例では、移動体２０と固定体２２とがルアー本体２に設けられる吸着補助体７０を介して磁気吸着されるようになっている。具体的には、吸着補助体７０は、Ｌ字型の金属板（磁性体）から成り、移動空間部３０の前端に位置して移動体２０と当接可能な第１の吸着補助板部７０ａと、水流抵抗体４の固定体２２と対向し得る位置に配置される第２の吸着補助板部７０ｂとを有する。また、第１の吸着補助板部７０ａは、移動体２０を固定体２２と磁気吸着する位置（移動空間部３０の前端位置）に保持する保持手段として、球状の移動体２０が嵌合可能な円形の貫通穴７０ｃを有することが好ましい。
【００２３】
このような構成では、永久磁石である移動体２０が移動空間部３０の前端に位置して第１の吸着補助板部７０ａに当接することにより吸着補助体７０が磁化され、それにより、第２の吸着補助板部７０ｂと対向して位置する磁性体である固定体２２が第２の吸着補助板部７０ｂに磁気吸着される。また、固定体２２と対向する第２の吸着補助板部７０ｂの対向面積が固定体２２の対向面積よりも大きく（移動体２０よりも大きな面積をもって固定体２２を磁気吸着でき）、かつ、固定体２２と第２の吸着補助板部７０ｂとが略平行状態で対向するようになっているため、固定体２２の吸着状態を安定して保持することができ、有益である。
【００２４】
図６には、図５の構成の変形例（第２の変形例）が示されている。この例では、吸着補助体７０（貫通穴７０ｃは設けられていない）を介して移動体２０Ａと固定体２２とが磁気吸着されることに加えて、移動体２０Ａが、円柱状の錘として形成され、その中心貫通孔に挿通される軸体７５に沿って移動空間部３０内を移動できるようになっている。このような構成では、円柱状の移動体２０Ａが吸着補助体７０と面接触するため、磁気吸着力が安定するとともに、移動体２０Ａの移動が軸体７５によって案内されるため、移動体２０Ａの移動を円滑且つ確実に行なえる。
【００２５】
図７および図８は、図５の構成の変形例（第３の変形例）が示されている。この変形例では、移動空間部が階段状に形成されている。すなわち、この階段状の移動空間部３０Ａは、ルアー本体２の後部２ｂの上側に位置される第１の空間部３０Ａａと、ルアー本体２の前部２ａの下側に位置される第２の空間部３０Ａｂと、第１の空間部３０Ａａと第２の空間部３０Ａｂとを接続する傾斜空間部３０Ａｃとから成っている。このように、移動空間部３０Ａを階段状（あるいは、単なる直線的な傾斜状でもよい）にすると、ルアー本体２の後部２ｂから前部２ａへの移動体２０の移動を促すことができ、移動体２０を速やかに前部２ａへと移動させることができる。したがって、水流抵抗体４の回動可能状態から回動不能状態への切り換えを迅速に行なうことができる。なお、図７は、水中でルアー１に結合される釣糸５０を引っ張って水流抵抗体４を回動不能状態に設定した状態を示す図であり、図８は、ルアー１をキャストした際に水流抵抗体４が回動可能状態に設定された状態を示す図である。
【００２６】
なお、本発明は、前述した実施形態に限定されず、その要旨を逸脱しない範囲で種々変形して実施できることは言うまでもない。例えば、前述した実施形態では、ルアー本体が魚を模した形状を成しているが、ルアー本体は、餌の形態であればどのような形状を成していても構わない。また、前述した実施形態では、水流抵抗体をルアー本体に対して回動可能な回動可能状態とルアー本体に対する回動が阻止される回動不能状態とに切り換えるための切り換え手段が磁性体同士の磁気吸着によって実現されているが、切り換え手段の切り換え形態は磁気的なものに限定されず、要は、ルアーのキャスト時に水流抵抗体を回動可能状態とし、水中で水流抵抗体を回動不能状態にすることができれば、どのような形態であっても構わない。また、前述した実施形態では、移動体が永久磁石で、固定体が磁性体であったが、その構成形態に応じて移動体を磁性体とし、固定体を永久磁石としても構わない。
【符号の説明】
【００２７】
１  釣り用ルアー
２  ルアー本体
４  水流抵抗体
２０  移動体（切り換え手段）
２２  固定体（切り換え手段）
３０  移動空間部（切り換え手段）
３０ａ  段差（保持手段）
６０  錘（誘導手段）
７０  吸着補助体
７０ｃ  貫通孔（保持手段）
【図１】
0005647061.tif 000002
【図２】
0005647061.tif 000003
【図３】
0005647061.tif 000004
【図４】
0005647061.tif 000005
【図５】
0005647061.tif 000006
【図６】
0005647061.tif 000007
【図７】
0005647061.tif 000008
【図８】
0005647061.tif 000009